(57)【特許請求の範囲】
【請求項１】
変形玩具と、前記変形玩具を載置するための載置盤と、を備えた変形玩具セットであって、
前記変形玩具は、付勢部材によって付勢されて立設する立ち上がり部と、前記立ち上がり部の上部で支持される天板と、を備え、
前記変形玩具は、外力が加えられることにより前記付勢部材の付勢力に抗って押し潰され、前記立ち上がり部と前記天板とが略面一となる変形状態をとりうるように形成され、
前記天板の下面側には、前記載置盤の上面に形成された係止部に係止可能な被係止部が設けられており、
前記係止部に前記被係止部を係止させることで、前記変形玩具が前記変形状態のままで前記載置盤に固定され、
前記載置盤の上面に、前記変形玩具を位置決めするための突起を備え、前記突起は、前記載置盤に設けられた発射操作部が操作されたことを契機として水平方向に摺動可能に形成されており、前記突起が摺動することによって前記載置盤にセットされた前記変形玩具が付勢されることを特徴とする、変形玩具セット。
【請求項２】
変形玩具と、前記変形玩具を載置するための載置盤と、を備えた変形玩具セットであって、
前記変形玩具は、付勢部材によって付勢されて立設する立ち上がり部と、前記立ち上がり部の上部で支持される天板と、前記天板と略平行に設けられる底板と、を備えて筐体状に形成され、
前記変形玩具は、外力が加えられることにより前記付勢部材の付勢力に抗って押し潰され、前記立ち上がり部と前記天板とが略面一となる変形状態をとりうるように形成され、
前記天板の下面側には、前記載置盤の上面に形成された係止部に係止可能な被係止部が設けられており、
前記係止部に前記被係止部を係止させることで、前記変形玩具が前記変形状態のままで前記載置盤に固定され、
前記載置盤の上面に、前記変形玩具を位置決めするための突起を備え、前記突起は、前記載置盤に設けられた発射操作部が操作されたことを契機として水平方向に摺動可能に形成されており、前記突起が摺動することによって前記載置盤にセットされた前記変形玩具が付勢されることを特徴とする、変形玩具セット。
【請求項３】
変形玩具と、前記変形玩具を載置するための載置盤と、を備えた変形玩具セットであって、
前記変形玩具は、付勢部材によって付勢されて立設する立ち上がり部と、前記立ち上がり部の上部で支持される天板と、車輪と、を備え、
前記変形玩具は、外力が加えられることにより前記付勢部材の付勢力に抗って押し潰され、前記立ち上がり部と前記天板とが略面一となる変形状態をとりうるように形成され、
前記天板の下面側には、前記載置盤の上面に形成された係止部に係止可能な被係止部が設けられており、
前記係止部に前記被係止部を係止させることで、前記変形玩具が前記変形状態のままで前記載置盤に固定されることを特徴とする、変形玩具セット。
【請求項４】
前記載置盤の上面に、前記変形玩具を位置決めするための突起を備え、前記突起は、前記載置盤に設けられた発射操作部が操作されたことを契機として水平方向に摺動可能に形成されており、前記突起が摺動することによって前記載置盤にセットされた前記変形玩具が付勢されることを特徴とする、請求項３記載の変形玩具セット。
【発明の詳細な説明】
【技術分野】
【０００１】
この発明は、変形玩具と、前記変形玩具を載置するための載置盤と、を備えた変形玩具セットに関するものである。
【背景技術】
【０００２】
従来、玩具の形状を変化させることができる様々な変形玩具が提供されている。
【０００３】
例えば、特許文献１には、略平板状態に折りたたむことを可能とし、互いに回動可能に接続された複数のキャラクタ構成部材と、該キャラクタ構成部材間のそれぞれに配置された弾性部材と、前記キャラクタ構成部材が折りたたまれた状態を維持及び解除する係止手段と、を備え、前記キャラクタ構成部材は前記弾性部材の弾性力に抗して折りたたまれ、係止部材が操作されたとき、前記キャラクタ構成部材が回動して飛び出すことでキャラクタの外形が飛び出すように現れるようにした変形玩具が開示されている。
【先行技術文献】
【特許文献】
【０００４】
【特許文献１】特開２０１０−１３１３６７号公報
【発明の概要】
【発明が解決しようとする課題】
【０００５】
上記したように、変形玩具としては様々なものが提供されているものの、玩具は常に目新しさや面白さが求められるものであり、更に新規な印象を与える玩具が求められていた。
【０００６】
そこで、本発明は、従来の変形玩具にはない新規な印象を与えることができる変形玩具セットを提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の変形玩具セットは、変形玩具と、前記変形玩具を載置するための載置盤と、を備えた変形玩具セットであって、前記変形玩具は、付勢部材によって付勢されて立設する立ち上がり部と、前記立ち上がり部の上部で支持される天板と、を備え、前記変形玩具は、外力が加えられることにより前記付勢部材の付勢力に抗って押し潰され、前記立ち上がり部と前記天板とが略面一となる変形状態をとりうるように形成され、前記天板の下面側には、前記載置盤の上面に形成された係止部に係止可能な被係止部が設けられており、前記係止部に前記被係止部を係止させることで、前記変形玩具が前記変形状態のままで前記載置盤に固定され、前記載置盤の上面に、前記変形玩具を位置決めするための突起を備え、前記突起は、前記載置盤に設けられた発射操作部が操作されたことを契機として水平方向に摺動可能に形成されており、前記突起が摺動することによって前記載置盤にセットされた前記変形玩具が付勢されることを特徴とする。
【００１０】
（請求項２）
請求項２に記載の発明は、以下の点を特徴とする。
【００１１】
すなわち、変形玩具と、前記変形玩具を載置するための載置盤と、を備えた変形玩具セットであって、前記変形玩具は、付勢部材によって付勢されて立設する立ち上がり部と、前記立ち上がり部の上部で支持される天板と、前記天板と略平行に設けられる底板と、を備えて筐体状に形成され、前記変形玩具は、外力が加えられることにより前記付勢部材の付勢力に抗って押し潰され、前記立ち上がり部と前記天板とが略面一となる変形状態をとりうるように形成され、前記天板の下面側には、前記載置盤の上面に形成された係止部に係止可能な被係止部が設けられており、前記係止部に前記被係止部を係止させることで、前記変形玩具が前記変形状態のままで前記載置盤に固定され、前記載置盤の上面に、前記変形玩具を位置決めするための突起を備え、前記突起は、前記載置盤に設けられた発射操作部が操作されたことを契機として水平方向に摺動可能に形成されており、前記突起が摺動することによって前記載置盤にセットされた前記変形玩具が付勢されることを特徴とする。
【００１２】
【００１３】
【００１４】
（請求項３）
請求項３に記載の発明は、以下の点を特徴とする。
【００１５】
すなわち、変形玩具と、前記変形玩具を載置するための載置盤と、を備えた変形玩具セットであって、前記変形玩具は、付勢部材によって付勢されて立設する立ち上がり部と、前記立ち上がり部の上部で支持される天板と、車輪と、を備え、前記変形玩具は、外力が加えられることにより前記付勢部材の付勢力に抗って押し潰され、前記立ち上がり部と前記天板とが略面一となる変形状態をとりうるように形成され、前記天板の下面側には、前記載置盤の上面に形成された係止部に係止可能な被係止部が設けられており、前記係止部に前記被係止部を係止させることで、前記変形玩具が前記変形状態のままで前記載置盤に固定されることを特徴とする。
【００１６】
（請求項４）
請求項４に記載の発明は、上記した請求項３記載の発明の特徴点に加え、以下の点を特徴とする。
【００１７】
すなわち、前記載置盤の上面に、前記変形玩具を位置決めするための突起を備え、前記突起は、前記載置盤に設けられた発射操作部が操作されたことを契機として水平方向に摺動可能に形成されており、前記突起が摺動することによって前記載置盤にセットされた前記変形玩具が付勢されることを特徴とする。
【発明の効果】
【００１８】
本発明は上記の通りであり、変形玩具は、外力が加えられることにより付勢部材の付勢力に抗って押し潰され、立ち上がり部と天板とが略面一となる変形状態をとりうるように形成され、係止部に被係止部を係止させることで、前記変形玩具が前記変形状態のままで前記載置盤に固定されるように形成されている。このため、変形玩具を上から押し潰すだけで、ワンタッチで変形させることができるとともに、変形玩具を押し潰した状態で載置盤に固定して持ち運ぶことができる。そして、変形玩具を立ち上げて遊ぶ場合には、係止部と被係止部との係止を解除すれば簡単に変形玩具を立ち上げることができるとともに、同時に載置盤から取り外すことができ、従来の変形玩具にはない新規な印象を与えることができる。
【００１９】
【００２０】
また、載置盤の上面に変形玩具を位置決めするための突起を備えるようにすれば、変形玩具が突起で位置決めされた状態で上から外力が加えられることにより、変形玩具が載置盤の上でずれることがなく係止部と被係止部とを係止させることができる。
【００２１】
また、前記突起は、前記載置盤に設けられた発射操作部が操作されたことを契機として水平方向に摺動可能に形成されており、前記突起が摺動することによって前記載置盤にセットされた前記変形玩具が付勢されるように形成すれば、前記突起は、位置決めとしての役割のみならず、変形玩具を付勢するための役割も果たす。例えば、変形玩具を車玩具として形成し、突起により押し出して走行させるようにすることができるので、変形玩具を立ち上げてそのまま発射させるという遊び方ができる。
【００２２】
【図面の簡単な説明】
【００２３】
【図１】変形玩具セットの外観図である。
【図２】変形玩具の分解図である。
【図３】載置盤の分解図である。
【図４】変形玩具の底面図である。
【図５】載置盤に変形玩具を載置した状態を示す斜視図である。
【図６】載置盤に変形玩具を載置した状態を示す断面図である。
【図７】載置盤に載置した変形玩具を押し潰して、係止部と被係止部とを係止させた状態を示す斜視図である。
【図８】載置盤に載置した変形玩具を押し潰して、係止部と被係止部とを係止させた状態を示す断面図である。
【図９】載置盤の内部構造を上から見た図であって、発射操作前の状態を示す図である。
【図１０】載置盤の内部構造を上から見た図であって、発射操作後の状態を示す図である。
【図１１】発射操作により変形玩具が発射された様子を示す図である。
【発明を実施するための形態】
【００２４】
本発明の実施形態について、図を参照しながら説明する。
【００２５】
本実施形態に係る変形玩具セット１０は、図１に示すように、変形玩具１１と、前記変形玩具１１を載置するための載置盤４０と、を備えている。
【００２６】
変形玩具１１は、車体１２に４つの車輪３０を備えた車玩具であり、進行方向に押されたときに車輪３０が回転することにより走行可能に形成されている。
【００２７】
この変形玩具１１の車体１２は、図２に示すように、複数枚の板状部材が互いに組み合わされて筐体状となったものである。詳しくは、車体１２の頭頂部に位置する天板１３と、車体１２の右側部を構成する右側部材１５と、車体１２の左側部を構成する左側部材１８と、車体１２の前部を構成する前部材２１と、車体１２の後部を構成する後部材２４と、車体１２の底部を構成する底板２７と、が組み合わされて形成されている。これらの各部材の接続端部にはヒンジが形成されており、これにより互いに回動可能に接続されている。ヒンジの回動軸として機能するバネ軸３１には、特に図示しないが、それぞれ捩りコイルバネが装着されており、車体１２を立ち上げる方向に各部材を付勢している。
【００２８】
このうち、右側部材１５は、図２に示すように、右上側板１６と右下側板１７との２つの部材からなり、この２つの部材がヒンジにより連結されて形成されている。右上側板１６は、上端が天板１３に接続され、下端が右下側板１７に接続されている。右下側板１７は、上端が右上側板１６に接続され、下端は開放状態となっている。更にこの右下側板１７は、右リンク部材２８を介して、後部材２４と接続されている。
【００２９】
この右リンク部材２８は、上端において右下側板１７の上端付近とヒンジで接続されており、下端において後部材２４の右端とヒンジで接続されている。この右リンク部材２８と右下側板１７との接続部、及び、右リンク部材２８と後部材２４との接続部にも、捩りコイルバネが装着されており、右側部材１５を立ち上がり部として立設させるために付勢している。
【００３０】
同様に、左側部材１８も、図２に示すように、左上側板１９と左下側板２０との２つの部材からなり、この２つの部材がヒンジにより連結されて形成されている。左上側板１９は、上端が天板１３に接続され、下端が左下側板２０に接続されている。左下側板２０は、上端が左上側板１９に接続され、下端は開放状態となっている。更にこの左下側板２０は、左リンク部材２９を介して、後部材２４と接続されている。
【００３１】
この左リンク部材２９は、上端において左側部材１８の上端付近とヒンジで接続され、下端において後部材２４の左端とヒンジで接続されている。この左リンク部材２９と左下側板２０との接続部、及び、左リンク部材２９と後部材２４との接続部にも、捩りコイルバネが装着されており、左側部材１８を立ち上がり部として立設させるために付勢している。
【００３２】
また、前部材２１は、図２に示すように、上前板２２と下前板２３との２つの部材からなり、この２つの部材がヒンジにより連結されて形成されている。上前板２２は、上端が天板１３に接続され、下端が下前板２３に接続されている。下前板２３は、上端が上前板２２に接続され、下端は開放状態となっている。
【００３３】
同様に、後部材２４も、図２に示すように、上後板２５と下後板２６との２つの部材からなり、この２つの部材がヒンジにより連結されて形成されている。上後板２５は、上端が天板１３に接続され、下端が下後板２６に接続されている。下後板２６は、上端が上後板２５に接続され、下端は開放状態となっている。
【００３４】
天板１３は、図２に示すように、右側部材１５及び左側部材１８の上部で支持されるものである。この天板１３の下面側には、下垂部材１４がネジ（図示せず）により固定されている。下垂部材１４は、下方（車体１２の内側）に突出するように設けられ、切り欠いて形成された被係止部１４ａを備えている。この被係止部１４ａは、後述するように、載置盤４０の上面４０ａに形成された係止部４４ａに係止可能となっている。
【００３５】
底板２７は、天板１３と略平行に設けられる板状部材である。この底板２７には、前記した下垂部材１４が通過可能に貫通形成された貫通孔２７ａが形成されている。また、この貫通孔２７ａのやや前方には、後述する載置盤４０の突起４６ｃを貫通させるための位置決め孔２７ｃが形成されている。なお、この底板２７の底面には、図４に示すように、前記した位置決め孔２７ｃの周囲を囲むように受け部２７ｂが下方に突出するように一体形成されている。この受け部２７ｂは、後側を開放するように略コ字状となっている。
【００３６】
一方、載置盤４０は、図１に示すように、変形玩具１１を載置するための載置面４０ａが凹設された平板状の部材である。載置面４０ａには、変形玩具１１の被係止部１４ａを係止させるための係止部４４ａ、及び、変形玩具１１を位置決めするための突起４６ｃが突出している。この係止部４４ａ及び突起４６ｃは、載置面４０ａに形成された孔に沿って前後に摺動可能となっている。なお、詳しくは後述するが、係止部４４ａは載置盤４０に設けられた係止解除操作部４４ｂを操作することにより作動する。同様に、突起４６ｃは、載置盤４０に設けられた発射操作部４５ｃを操作することにより作動する。
【００３７】
載置面４０ａの両側には、側壁部４０ｂが立設しており、載置面４０ａを挟むように配置されている。この側壁部４０ｂは、変形玩具１１を載置したときの前方に当たる方向には設けられておらず、これにより発車口４０ｃが形成されている。この発車口４０ｃは、後述するように、変形玩具１１が飛び出すための開口である。
【００３８】
この載置盤４０は、図３に示すように、上カバー体４２と下カバー体４３とを組み合わせて構成された盤本体４１と、この盤本体４１の内部に収容される係止操作部材４４、発射操作部材４５、位置決め部材４６を備えて構成される。
【００３９】
係止操作部材４４は、先端に上記した係止部４４ａが設けられた部材であり、基端には上記した係止解除操作部４４ｂが設けられている。この係止操作部材４４は、係止部４４ａが上カバー体４２に設けられた係止部用孔４２ａから外部に突出するように盤本体４１の内部に収容され、盤本体４１の内部で前後に摺動可能となっている。この係止操作部材４４は、図示しないバネによって前方向（変形玩具１１の発射方向）へと付勢されているが、係止解除操作部４４ｂを後方向に操作することで後方向に摺動可能となっている。
【００４０】
位置決め部材４６は、先端に上記した突起４６ｃが設けられた部材である。この位置決め部材４６の後端付近には、後述するフック４５ａを引っ掛けるための引掛部４６ａと、バネを引っ掛けるためのバネ支持部４６ｂと、が設けられている。この位置決め部材４６は、突起４６ｃが上カバー体４２に設けられたスライド孔４２ｂから外部に突出するように盤本体４１の内部に収容され、盤本体４１の内部で前後に摺動可能となっている。この位置決め部材４６は、引張りバネ４７によって前方向（変形玩具１１の発射方向）へと付勢されているが、突起４６ｃを手動で後方向に移動させることで後方向に摺動可能となっている。
【００４１】
発射操作部材４５は、基端に上記した発射操作部４５ｃが設けられた部材である。この発射操作部材４５は、回動軸部４５ｂを中心に回動可能となるように盤本体４１の内部に固定されている。また、この発射操作部材４５の先端部には、前記した引掛部４６ａに引っ掛けるためのフック４５ａが設けられている。この発射操作部材４５は、図示しないバネによって、フック４５ａが前記した引掛部４６ａに引っ掛かる方向へと付勢されている。このため、図９に示すように、位置決め部材４６を後方向に手動でスライドさせると、フック４５ａが引掛部４６ａに引っ掛かるように形成されている。この状態で発射操作部４５ｃを操作して手前に移動させると、図１０に示すように、発射操作部材４５が回動軸部４５ｂを中心に回動し、フック４５ａと引掛部４６ａとの係合が外れる。そして、位置決め部材４６が引張りバネ４７の付勢力によって前方向へと移動するように形成されている。
【００４２】
次に、載置盤４０への変形玩具１１の取り付け方法について説明する。なお、載置盤４０に変形玩具１１を取り付ける際には、予め突起４６ｃを手動で後方に引きつけておき、図９に示すように、フック４５ａと引掛部４６ａとが係合した状態にセットしておく。
【００４３】
図５は、載置盤４０の載置面４０ａに変形玩具１１を載置した状態を示す図である。このように、変形玩具１１は、車体１２の前方が発車口４０ｃの方向を向くように載置盤４０の上に載置される。このとき、図６に示すように、載置面４０ａから突出した突起４６ｃが、変形玩具１１の底部の受け部２７ｂに引っ掛かるように配置することで、変形玩具１１の位置決めが行われる。この状態では、突起４６ｃの直上に位置決め孔２７ｃがくるようになっている。また、係止部４４ａの直上に貫通孔２７ａがきており、その更に直上に下垂部材１４の被係止部１４ａがくるようになっている。
【００４４】
ここで、変形玩具１１は、上方から外力が加えられたときに、付勢部材の付勢力に抗って押し潰され、天板１３、右側部材１５、左側部材１８などの各部材が略面一となり、変形状態をとりうるように形成されている。この変形状態においては、図７に示すように、右側部材１５の下端部、左側部材１８の下端部、前部材２１の下端部、後部材２４の下端部が、それぞれ外側に押し広げられた状態となる。
【００４５】
このとき、図８に示すように、天板１３が垂直下方に押し下げられるため、係止部４４ａが貫通孔２７ａを貫通して、下垂部材１４の被係止部１４ａを係止する。このとき、変形玩具１１は、上方に立ち上がる方向に付勢されているため、この付勢力によって変形状態のままで載置盤４０に固定されることとなる。このとき、変形玩具１１は、図８に示すように、側壁部４０ｂよりも低く押し潰されて固定される。
【００４６】
なお、変形玩具１１を押し潰したときに、突起４６ｃは位置決め孔２７ｃを貫通するので、突起４６ｃが変形玩具１１の変形を邪魔することはなく、むしろ、垂直下方への押し潰しをガイドする役目を果たす。すなわち、変形玩具１１は、上から押し潰すだけでワンタッチで変形するものであるが、上から外力を加えたときに変形玩具１１が前後左右にずれないように形成されているため、更に容易に変形玩具１１を変形させることができる。
【００４７】
このように変形した変形玩具１１を元に戻す場合には、係止解除操作部４４ｂを操作すればよい。すなわち、前述したように、係止解除操作部４４ｂを後方に引き操作すれば、係止部４４ａが後方に移動し、係止部４４ａと被係止部１４ａとの係止が解除されるため、変形玩具１１は内部の捩りコイルバネの付勢力によって立ち上がり、図５に示す状態へと変形する。
【００４８】
この図５に示す状態で発射操作部４５ｃを操作すると、前述したように、突起４６ｃが前方へと移動する（図９及び図１０参照）。そして、図６で説明したように、突起４６ｃは受け部２７ｂに引っ掛けられているため、移動する突起４６ｃによって受け部２７ｂが押され、変形玩具１１が付勢されることとなる。これにより、図１１に示すように、変形玩具１１が発車口４０ｃから発射されるように形成されている。
【００４９】
以上説明したように、本実施形態によれば、変形玩具１１は、外力が加えられることにより付勢部材の付勢力に抗って押し潰され、右側部材１５と左側部材１８と天板１３とが略面一となる変形状態をとりうるように形成され、係止部４４ａに被係止部１４ａを係止させることで、前記変形玩具１１が前記変形状態のままで前記載置盤４０に固定されるように形成されている。このため、変形玩具１１を上から押し潰すだけで、ワンタッチで変形させることができるとともに、変形玩具１１を押し潰した状態で載置盤４０に固定して持ち運ぶことができる。そして、変形玩具１１を立ち上げて遊ぶ場合には、係止部４４ａと被係止部１４ａとの係止を解除すれば簡単に変形玩具１１を立ち上げることができるとともに、同時に載置盤４０から取り外すことができ、従来の玩具にはない新規な印象を与えることができる。
【００５０】
また、係止部４４ａと被係止部１４ａとの係止を解除するための係止解除操作部４４ｂを設けたので、係止部４４ａと被係止部１４ａとの係止を容易に解除することができる。
【００５１】
また、載置盤４０の上面４０ａに変形玩具１１を位置決めするための突起４６ｃを備えている。このため、変形玩具１１が突起４６ｃで位置決めされた状態で上から外力が加えられることにより、変形玩具１１が載置盤４０の上でずれることがなく係止部４４ａと被係止部１４ａとを係止させることができる。
【００５２】
また、前記突起４６ｃは、前記載置盤４０に設けられた発射操作部４５ｃが操作されたことを契機として水平方向に摺動可能に形成されており、前記突起４６ｃが摺動することによって前記載置盤４０にセットされた前記変形玩具１１が付勢されるように形成されている。このため、前記突起４６ｃは、位置決めとしての役割のみならず、変形玩具１１を付勢するための役割も果たす。このため、車玩具として形成した変形玩具１１を、突起４６ｃにより押し出して走行させるようにすることができるので、変形玩具１１を立ち上げてそのまま発射させるという遊び方ができる。
【００５３】
また、前記載置盤４０は、前記変形玩具１１を載置するための載置面４０ａの側部に立ち上がる側壁部４０ｂを備えており、前記変形玩具１１は、前記載置盤４０に取り付けられたときに、前記側壁部４０ｂよりも低く押し潰されるように形成されている。このため、載置盤４０に取り付けた変形玩具１１が載置盤４０の側壁部４０ｂから突出しないので、変形玩具１１が載置盤４０の容積に収まり、収容や持ち運びに便利である。
【００５４】
なお、このような変形玩具セット１０を複数用意すれば、更に面白みのある玩具を提供することができる。例えば、上記したような変形玩具セット１０の他にも、載置盤４０の上に他の車の形状をした変形玩具１１が立ち上がるものや、載置盤４０の上に家の形状をした変形玩具１１が立ち上がるものなどを用意することで、仮想的に街を作り上げることもでき、バリエーション豊かな遊び方をすることができる。
【００５５】
なお、家の形状などの変形玩具１１を設けた場合、これらの変形玩具１１は載置盤４０から取り外す必要がないため、変形玩具１１を載置盤４０にヒンジ等で固定することとしてもよい。
【００５６】
しかも、複数の変形玩具セット１０は、いずれも平板状にコンパクトに収容できるので（図７参照）、複数の変形玩具セット１０を隙間なく収容することができ、持ち運びも容易である。そして、変形玩具１１を立ち上げて遊ぶ際にも、係止解除操作部４４ｂをワンタッチ操作するだけとなっている。このため、気軽に持ち運ぶとともに、持ち運んだ先で容易に広げて遊ぶことができる変形玩具セット１０を提供することができる。
【００５７】
なお、上記した実施形態においては、係止解除操作部４４ｂを載置盤４０に設けたが、これに限らず、係止解除操作部４４ｂを変形玩具１１に設けてもよい。
【符号の説明】
【００５８】
１０  変形玩具セット
１１  変形玩具
１２  車体
１３  天板
１４  下垂部材
１４ａ  被係止部
１５  右側部材（立ち上がり部）
１６  右上側板
１７  右下側板
１８  左側部材（立ち上がり部）
１９  左上側板
２０  左下側板
２１  前部材
２２  上前板
２３  下前板
２４  後部材
２５  上後板
２６  下後板
２７  底板
２７ａ  貫通孔
２７ｂ  受け部
２７ｃ  位置決め孔
２８  右リンク部材
２９  左リンク部材
３０  車輪
３１  バネ軸
４０  載置盤
４０ａ  載置面（上面）
４０ｂ  側壁部
４０ｃ  発車口
４１  盤本体
４２  上カバー体
４２ａ  係止部用孔
４２ｂ  スライド孔
４３  下カバー体
４４  係止操作部材
４４ａ  係止部
４４ｂ  係止解除操作部
４５  発射操作部材
４５ａ  フック
４５ｂ  回動軸部
４５ｃ  発射操作部
４６  位置決め部材
４６ａ  引掛部
４６ｂ  バネ支持部
４６ｃ  突起
４７  引張りバネ
【図１】
0005759758.tif 000002
【図２】
0005759758.tif 000003
【図３】
0005759758.tif 000004
【図４】
0005759758.tif 000005
【図５】
0005759758.tif 000006
【図６】
0005759758.tif 000007
【図７】
0005759758.tif 000008
【図８】
0005759758.tif 000009
【図９】
0005759758.tif 000010
【図１０】
0005759758.tif 000011
【図１１】
0005759758.tif 000012